(57)【要約】【課題】使用可能な厚みを有する返信はがきと、秘匿シールを備えた偏りのない均一の厚みを有する秘匿シール付き広告用印刷物を提供する。【解決手段】紙片を重ねて貼り合わせた二重構造の広告紙７と、この広告紙７の表裏面の少なくとも一方に印刷した広告情報部９、返信はがき部１１及び貼付シール部１７と、前記返信はがき部１１の輪郭に当該返信はがき部１１を切り離し可能とすべく設けたミシン目２５と、前記貼付シール部１７の輪郭に当該貼付シール部１７を広告紙７の二重構造の一方の紙片から切り離すべく設けた切込み線２７と、前記貼付シール部１７の貼り合わせ面に剥離・再接着可能とすべく設けたシール部接着剤層と、から構成される。２枚重ねの二重構造となっているので、はがきとして適度の厚さが確保され、全体の厚さが均一である。【選択図】　　　図１
2004133065.tif 000002
【特許請求の範囲】
【請求項１】
紙片を重ねて貼り合わせた二重構造の広告紙と、この広告紙の表裏面の少なくとも一方に印刷した広告情報部、返信はがき部及び貼付シール部と、前記返信はがき部の輪郭に当該返信はがき部を切り離し可能とすべく設けたミシン目と、前記貼付シール部の輪郭に当該貼付シール部を広告紙の二重構造の一方の紙片から切り離すべく設けた切込み線と、前記貼付シール部の貼り合わせ面に剥離・再接着可能とすべく設けたシール部接着剤層と、からなることを特徴とする剥離・再接着シール付き広告用印刷物。
【請求項２】
前記広告紙が、２枚の紙片を重ねて貼り合わせた二重構造であることを特徴とする請求項１記載の剥離・再接着シール付き広告用印刷物。
【請求項３】
前記広告紙が、１枚の紙片を折り重ねて貼り合わせた二重構造であることを特徴とする請求項１記載の剥離・再接着シール付き広告用印刷物。
【請求項４】
前記貼付シール部が、返信はがき部の個人情報を秘匿するための個人情報秘匿シール、又は応募特典を付与するための応募特典請求シールであることを特徴とする請求項１、２又は３記載の剥離・再接着シール付き広告用印刷物。
【請求項５】
前記貼り合わせ面のうちの前記返信はがき部以外の部分を剥離可能に設け、この剥離可能な貼り合わせ面に広告情報を印刷した第２広告情報部を設けてなることを特徴とする請求項１〜４のうちのいずれか一つに記載の剥離・再接着シール付き広告用印刷物。
【請求項６】
前記返信はがき部に、二重構造の一方の紙片の内面に秘匿すべき秘匿領域を設け、前記二重構造の他方の紙片に前記秘匿領域を露出する切欠き部を設けてなることを特徴とする請求項１〜５のうちのいずれか一つに記載の剥離・再接着シール付き広告用印刷物。
【発明の詳細な説明】
【０００１】
【発明の属する技術分野】
この発明は、インライン設備で印刷生産する広告用印刷物に関し、特に広告用印刷物（チラシ、ダイレクトメール、本）に応募ハガキが印刷されていた場合に、個人的に見られたくない領域を秘匿することを可能とする広告用印刷物に関する。
【０００２】
【従来の技術】
従来、返信はがき付き広告用印刷物としては、例えば申込書付きカタログとして知られており、この申込書付きカタログには、商品情報を表示したカタログ紙片と商品の購入を申し込むための申込書紙片が備えられている。前記申込書紙片には購入申込先の宛名情報や申込者の情報を記入するための記入欄や申込商品記入欄が設けられている（例えば、特許文献１参照。）。
【０００３】
【特許文献１】
特開平６−２４７０８２号公報（第２ページ右欄の〔０００４〕、図１〜図４）
【０００４】
【発明が解決しようとする課題】
ところで、従来の返信はがき付き広告用印刷物においては、申込書紙片が申込書付きカタログから切り離され、はがきとして使用されるので、申込書紙片がある程度の厚さがなければ、はがきとして使用できない。したがって、一般に使用されている薄いカタログ紙では適用されないので、若干の厚みのあるカタログ紙ではコストアップや資源消費のアップにつながってしまうという問題点があった。
【０００５】
また、申込書には申込者の個人情報を記入するので、申込者によっては例えば電話番号、年齢、性別などは第三者に知られたくないため、この部分を隠すための秘匿シールを別途設けておくか、あるいはカタログ紙に添付しておく必要があるので、申込書付きカタログの製造コストアップになるという問題点があった。
【０００６】
さらには、上記の秘匿シールを申込書付きカタログ紙に添付すると、厚みが均一にならないので、多数の申込書付きカタログ紙が重ねられると、厚みの偏りが生じてしまい、例えば厚みに偏りのある申込書付きカタログ紙が新聞折込みとして使用されるには不適当であるという問題点があった。
【０００７】
この発明は上述の課題を解決するためになされたもので、その目的は、広告用印刷物であって、しかも使用可能な厚みを有する返信はがきと、剥離・再接着シールとを備えた偏りのない均一の厚みを有する剥離・再接着シール付き広告用印刷物を提供することにある。
【０００８】
【課題を解決するための手段】
上記目的を達成するために請求項１によるこの発明の剥離・再接着シール付き広告用印刷物は、紙片を重ねて貼り合わせた二重構造の広告紙と、この広告紙の表裏面の少なくとも一方に印刷した広告情報部、返信はがき部及び貼付シール部と、前記返信はがき部の輪郭に当該返信はがき部を切り離し可能とすべく設けたミシン目と、前記貼付シール部の輪郭に当該貼付シール部を広告紙の二重構造の一方の紙片から切り離すべく設けた切込み線と、前記貼付シール部の貼り合わせ面に剥離・再接着可能とすべく設けたシール部接着剤層と、からなることを要旨とする。
【０００９】
したがって、広告情報部を見て例えば広告商品を申し込む人は、返信はがき部をミシン目から容易に切り離して必要な事項を記入する。次いで、貼付シール部を剥離し返信はがき部の例えば秘匿領域に貼り付けることにより、秘匿したい個人情報が容易に秘匿され、返信はがき部は安心して投函される。また、貼付シール部が２枚重ねの二重構造の一方の紙片に設けられるので、広告用印刷物の厚みに偏りが生じることなく、安価に製造可能である。
【００１０】
また、返信はがき部は、２枚重ねの二重構造となっているので、はがきとして適度の厚さが確保される。
【００１１】
また、剥離・再接着シール付き広告用印刷物は、全領域が紙片の２枚重ねの二重構造となっているので全体の厚さが均一になり、積み重ね時の厚さの偏りが生じないために、新聞折込みのために好適である。
【００１２】
また、剥離・再接着シール付き広告用印刷物は薄い紙片で製造可能であるので、製造コストが安価となる。
【００１３】
請求項２は、請求項１記載の剥離・再接着シール付き広告用印刷物において、前記広告紙が、２枚の紙片を重ねて貼り合わせた二重構造であることを要旨とするものである。
【００１４】
したがって、２枚の紙片を重ねて貼り合わせるので、インラインで製造しやすいものである。
【００１５】
請求項３は、請求項１記載の剥離・再接着シール付き広告用印刷物において、前記広告紙が、１枚の紙片を折り重ねて貼り合わせた二重構造であることを要旨とする。
【００１６】
したがって、１枚の紙片から二重構造とするために折り重ねの工程が必要となる面があるが、２枚重ねの貼り合わせ面を剥離可能として前記貼り合わせ面に広告情報部を設けた場合は、２枚重ねの紙片を剥離しても紙片がバラバラにならない。
【００１７】
請求項４は、請求項１、２又は３記載において、前記貼付シール部が、返信ハガキ部の個人情報を秘匿するための個人情報秘匿シール、又は応募特典を付与するための応募特典請求シールであることを要旨とする。
【００１８】
したがって、貼付シール部としては個人情報秘匿シールや応募特典請求シールなどの種々の用い方がある。
【００１９】
請求項５は、請求項１〜４のうちのいずれか一つに記載の秘匿シール付き広告用印刷物において、前記貼り合わせ面のうちの前記返信はがき部以外の部分を剥離可能に設け、この剥離可能な貼り合わせ面に広告情報を印刷した第２広告情報部を設けてなることを要旨とするものである。
【００２０】
したがって、第２広告情報部が加えられるので、より多くの広告情報が掲載可能となる。
【００２１】
請求項６は、請求項１〜５のうちのいずれか一つに記載の秘匿シール付き広告用印刷物において、前記返信はがき部に、二重構造の一方の紙片の内面に秘匿すべき秘匿領域を設け、前記二重構造の他方の紙片に前記秘匿領域を露出する切欠き部を設けてなることを要旨とするものである。
【００２２】
したがって、貼付シール部が秘匿領域に貼り付けられる際に、貼付シール部が切欠き部内に収まるので、返信はがき部の厚みが均一になる。
【００２３】
【発明の実施の形態】
以下、この発明の実施の形態について図面を参照して説明する。なお、図面では説明を分かり易くするために厚紙のように図示されているが、実際には一般的な薄紙の紙片が用いられている。
【００２４】
図１を参照するに、第１の実施の形態に係わる剥離・再接着シール付き広告用印刷物１は、例えばインライン設備で多量に印刷生産されるものであり、表側紙片３と裏側紙片５（図１の紙面に直交する裏側で、点線の引き出し線で示している）とからなる２枚の紙片が重ねて貼り合わされて１枚の広告紙７が構成される。
【００２５】
図２を併せて参照するに、例えば、上記の表側紙片３の外面となる表面３Ａには、広告商品の情報や通信講座の企画情報などの広告となる領域である広告情報部としての例えば第１広告情報部９Ａと、返信はがき部１１の表面となる領域の表面側返信はがき部１１Ａと、前記返信はがき部１１の中に設けた個人情報部１３のうちの秘匿したい情報を記載した秘匿領域１５に貼り付けるための個人情報秘匿シールや割引などの応募特典を付与するための応募特典請求シールといった貼付シール部１７がインライン設備で予め印刷されている。前述の応募特典請求シールと秘匿シールとを総称して貼付シール部１７（剥離・再接着シールともいう）と称している。
【００２６】
また、上記の裏側紙片５の外面となる裏面５Ｂには、上記の表側紙片３の表面側返信はがき部１１Ａに対応する位置に返信はがき部１１の裏面となる領域の裏面側返信はがき部１１Ｂ（図１の紙面に直交する裏側で、点線の引き出し線で示している）が印刷されており、他の残りの部分には広告商品の情報となる領域である広告情報部としての例えば第１広告情報部９Ｂ（図１の紙面に直交する裏側で、点線の引き出し線で示している）が印刷されている。
【００２７】
より詳しくは、表面側返信はがき部１１Ａには、広告商品の購入先や企画情報の申込先などの住所、郵便番号などが予め印刷されている。また、個人情報部１３には申込者の個人情報の記入欄や応募特典請求シールを貼るためのシール貼付欄などが印刷されている。上記の個人情報としては申込者の住所、氏名、年齢、性別、電話番号などの欄が設けられている。なお、個人情報秘匿シールを貼って秘匿したい秘匿領域１５としては、例えば電話番号、性別、年齢、年収などが該当する。
【００２８】
また、裏面側返信はがき部１１Ｂには、例えば広告商品又は企画情報の一覧表と各一覧表の希望するものに○を付けるための購入希望欄が予め印刷されている。なお、上記の個人情報部１３は、裏面側返信はがき部１１Ｂに設けられても構わない。
【００２９】
また、上記の貼付シール部１７の領域の表側紙片３と裏側紙片５との貼り合わせ面には、図２に示されているように互いに剥離・再接着可能とすべくシール部接着剤層１９（シール１７より少し大きめが好ましい）が塗布されている。例えば、このシール部接着剤層１９としては、表側紙片３の内面となる裏面３Ｂに貼付シール部１７を剥離後再接着可能なポストイット糊が塗布され、裏側紙片５の内面となる表面５Ａにシリコン樹脂などの離形剤層が塗布されている。
【００３０】
また、上記の貼付シール部１７の領域以外の他の部分の表側紙片３と裏側紙片５との貼り合わせ面（３Ｂと５Ａが該当）には、図２に示されているように互いに剥離不可能とする接着剤層２１（秘匿シールの幅よりわずかに（２ｍｍ程度）大きな領域とした層）が少なくともいずれか一方の内面に塗布されている。
【００３１】
上記の表側紙片３と裏側紙片５が、インラインにおいて互いに対応する位置で重ねて貼り合わされることにより、広告紙７が形成される。
【００３２】
次いで、上記の広告紙７は、図２に示されているようにインライン設備において切断用金型２３により、剥離・再接着シール付き広告用印刷物１の外周の輪郭１Ａで切断されると共に、上記の返信はがき部１１の輪郭にミシン目２５が入れられ、さらには上記の表側紙片３の貼付シール部１７の輪郭に切込み線２７が入れられる。つまり、貼付シール部１７の輪郭には１枚目（ここでは表側紙片３）は切れているが２枚目（ここでは裏側紙片５）は切れていないキスカット加工が施される。
【００３３】
例えば、上記の切断用金型２３には、図２に示されているように貼付シール部１７の切込み線用の刃２３Ａと、剥離・再接着シール付き広告用印刷物１の外周輪郭切断用の刃２３Ｂが、裏側紙片５の厚み分だけの深さの差をもって設けられており、返信はがき部１１の輪郭のミシン目用の刃２３Ｃは鋸刃状となっており、上記の各刃２３Ａ，２３Ｂ，２３Ｃが一体的に設けられている。したがって、切断用金型２３による一回のプレスで、上記の印刷物外周輪郭１Ａとミシン目２５と切込み線２７のカッティングが同時に行われ、図１及び図４に示されているように剥離・再接着シール付き広告用印刷物１がインライン設備にて量産される。
【００３４】
上記のようにして得られた剥離・再接着シール付き広告用印刷物１は、例えば新聞に挟み込まれる広告用散らしとして使用される。
【００３５】
剥離・再接着シール付き広告用印刷物１の広告情報を見て広告商品を購入したい人は、図３（Ａ）及び図５に示されているように返信はがき部１１をミシン目２５から切り離し、必要な事項を記入する。その後、貼付シール部１７としての例えば個人情報秘匿シールを返信はがき付き広告用印刷物１から剥離し、この個人情報秘匿シールを図３（Ｂ）及び図５に示されているように返信はがき部１１の秘匿領域１５に貼り付けることにより、秘匿領域１５の個人情報を容易に秘匿することができる。したがって、購入希望者は安心して返信はがき部１１を投函することができ、容易に購入希望商品を申し込むことができる。
【００３６】
また、上記の返信はがき部１１は、表側紙片３と裏側紙片５との２枚重ねの二重構造となっているので、はがきとして適度の厚さが確保できることとなる。
【００３７】
また、広告用印刷物１は、表側紙片３と裏側紙片５との二重構造となっているので、全体の出来上がりの厚さが均一になる。出来上がり厚さが均一でない場合は、多量の剥離・再接着シール付き広告用印刷物が新聞折込みされたときに全体の厚さが偏ってしまうので、前記厚さが均一であることは新聞折込みのために不可欠な条件である。多量の剥離・再接着シール付き広告用印刷物１が山積みにして保管しておく場合でも、全体の厚さが偏ってしまうと多量に保管できない。しかし、この発明の実施の形態の秘匿シール付き広告用印刷物１は上記の問題点は解消される。
【００３８】
次に、この発明の第２の実施の形態の剥離・再接着シール付き広告用印刷物２９について説明する。前述した第１の実施の形態の剥離・再接着シール付き広告用印刷物１と同様の部分は同符号にて説明する。また、異なる部分のみ説明し、他は同様である。
【００３９】
図６を参照するに、前述した第１の実施の形態の剥離・再接着シール付き広告用印刷物１は、表側紙片３と裏側紙片５の貼り合わせ面３Ｂ，５Ａのうちの貼付シール部１７以外の部分は剥離不可能な接着剤層２１により貼り合わされているが、この第２の実施の形態の剥離・再接着シール付き広告用印刷物２９においては、返信はがき部１１以外の部分は剥離可能に設けられるものである。
【００４０】
この場合、表側紙片３の内面としての裏面３Ｂと裏側紙片５の内面としての表面５Ａには、返信はがき部１１及び貼付シール部１７以外の剥離可能な貼り合わせ面となる領域に広告商品の情報や通信講座の企画情報などの広告となる領域である第２広告情報部３１Ａ，３１Ｂが印刷されることにより、より多くの広告情報を載せることができる。
【００４１】
例えば、第２広告情報部３１Ａ，３１Ｂが印刷された後に、表側紙片３の裏面３Ｂと裏側紙片５の表面５Ａには、第２広告情報部３１Ａ，３１Ｂの側縁に沿った対向する位置に剥離可能な接着剤層３３が塗布される。この接着剤層３３としては、例えばシリコン樹脂などの離形剤層が幅狭に塗布され、この離形剤層の表面に接着剤層が塗布される。したがって、表側紙片３の裏面３Ｂと裏側紙片５の表面５Ａが重ね合わされると、上記の接着剤層により貼り合わされるが、離形剤層により剥離可能となる。
【００４２】
図７（Ａ），（Ｂ），（Ｃ）を参照するに、上記の貼付シール部１７は図１とは異なった位置に設けられても構わない。例えば、図７（Ａ）では返信はがき部１１の図において上方に隣接して設けられており、図７（Ｂ）では返信はがき部１１の図において左方に離れた位置に設けられており、図７（Ｃ）では返信はがき部１１の図において上方に離れた位置に設けられている。
【００４３】
また、図１では秘匿領域１５が返信はがき部１１の表面に印刷されているので、貼付シール部１７は表側紙片３に設けられているが、秘匿領域１５が返信はがき部１１の裏面に印刷されている場合は貼付シール部１７も裏側紙片５に設けられることが、より一層貼り付け容易となる点で望ましい。
【００４４】
次に、この発明の第３の実施の形態の剥離・再接着シール付き広告用印刷物３５について説明する。第１の実施の形態の剥離・再接着シール付き広告用印刷物１と同様の部分は同符号にて説明する。また、異なる部分のみ説明し、他は同様である。
【００４５】
図８及び図９を参照するに、前述した第１の実施の形態の剥離・再接着シール付き広告用印刷物１では表側紙片３と裏側紙片５の合計２枚の紙片が重ねて貼り合わされているが、第３の実施の形態では１枚の紙片が２箇所の折曲げ線３７にて折り重ねて貼り合わされた二重構造となっている。なお、上記の折曲げ線３７は１箇所であっても構わない。
【００４６】
例えば、１枚の紙片３９の表面３９Ａには、第１広告情報部９Ａ，９Ｂと、返信はがき部１１の表面となる領域の表面側返信はがき部１１Ａと、印刷後に折曲げ線３７にて折り重ねられる際に前記表面側返信はがき部１１Ａに対応する位置に返信はがき部１１の裏面となる領域の裏面側返信はがき部１１Ｂと、貼付シール部１７がインライン設備で予め印刷される。また、前記紙片３９の裏面３９Ｂには、上記の表面側返信はがき部１１Ａと裏面側返信はがき部１１Ｂと貼付シール部１７のそれぞれの領域の裏面を除く部分に第２広告情報部３１Ａ，３１Ｂが予め印刷される。
【００４７】
また、上記の表面側返信はがき部１１Ａと裏面側返信はがき部１１Ｂの裏面には剥離不可能な接着剤層２１が塗布され、貼付シール部１７の裏面には当該貼付シール部１７を剥離・再接着可能とするシール部接着剤層１９が塗布される。
【００４８】
さらに、第２広告情報部３１Ａ，３１Ｂの貼り合わせ面は剥離可能に設けることができる。例えば、第２の実施の形態の場合と同様に、第２広告情報部３１Ａ，３１Ｂが印刷された後に、この第２広告情報部３１Ａ，３１Ｂの側縁に沿った位置に剥離可能な接着剤層３３が塗布される。この接着剤層３３としては、シリコン樹脂などの離形剤層が幅狭に塗布され、この離形剤層の表面に接着剤層が塗布される。したがって、前記紙面の裏面が前記折曲げ線３７で折り重ね合わされると、上記の接着剤層により貼り合わされるが、離形剤層により剥離可能となる。
【００４９】
次いで、上記の折曲げ線３７で折り重ね合わされる前の展開状態の展開紙３９は、外周の輪郭で切断される。この切断された展開紙３９は前記折曲げ線３７で図８に示されているように折り重ね合わされることにより、表面側返信はがき部１１Ａと裏面側返信はがき部１１Ｂは剥離不可能に貼り合わされるが、第２広告情報部３１Ａ，３１Ｂの貼り合わせ面は剥離可能に貼り合わされる。また、貼付シール部１７は剥離・再接着可能に貼り合わされる。
【００５０】
したがって、上記の返信はがき付き広告用印刷物３５は、図９に示されているように返信はがき部１１がミシン目２５から切り離される。折り重ね合わされた紙片３９が剥離されて、紙片３９の表面３９Ａに印刷された第１広告情報部９Ａ，９Ｂと，裏面３９Ｂに印刷された第２広告情報部３１Ａ，３１Ｂとの豊富な情報を見ることができる。
【００５１】
上記の第１、第２広告情報部９Ａ，９Ｂと３１Ａ，３１Ｂの情報に基づいて希望項目や個人情報などの必要な事項が返信はがき部１１に記入される。その後、前述した第１、第２の実施の形態の広告用印刷物１，２９と同様に貼付シール部１７が広告用印刷物３５から剥離され、この貼付シール部１７が図９に示されているように返信はがき部１１の秘匿領域１５に貼り付けられ、投函される。
【００５２】
図１０を参照するに、前述した秘匿シール付き広告用印刷物１，２９，３５の返信はがき部１１には、秘匿すべき秘匿領域１５が予め裏側紙片５の内面５Ａに印刷され、この秘匿領域１５に対応する表側紙片３の領域が切り欠かれて切欠き部４１が設けられている。したがって、秘匿すべき情報が前記秘匿領域１５に書き込まれた後に、貼付シール部１７が前記秘匿領域１５に貼り付けられると、貼付シール部１７が切欠き部４１内に収まるので貼付シール部１７の表面と返信はがき部１１の表面が同じ平面上に位置することになり、返信はがき部１１の厚みが均一になる。
【００５３】
なお、この発明は前述した実施の形態に限定されることなく、適宜な変更を行うことによりその他の態様で実施し得るものである。
【００５４】
前述した実施の形態では、例えば新聞折込のカタログ紙として使用されることを例にとって説明したが、この発明の広告用印刷物は、例えば雑誌の表紙と裏表紙に使用して、特に返信はがき部１１や貼付シール部１７を裏表紙に配置することもでき、あるいはその他の広告物の一部分としても適用可能である。
【００５５】
また、上記実施の形態では貼付シール部１７を１個として説明したがハガキの秘匿箇所が多数存在する場合は、広告用印刷物におけるハガキの上、横又は中央等に設けてもよい。
【００５６】
さらに、剥離・再接着シールを応募特典に用いることも可能である。応募特典シールとして用いる場合は、色違いにするのが好ましい。例えば、図１１に示すように、展開紙３９の開き部の箇所にある貼付シール部４０ａ（剥離、再接着可能、点線は切り込み線）をブルー（ポイント１点）、ハガキの隣となる貼付シール部４０ｂは灰色（ポイント２点）、ハガキの真上側で折曲げ線３７側となる貼付シール部４０ｃは緑色（ポイント３点）とする。
【００５７】
ポイント３点の貼付シール部４０ｃを剥がしてハガキの秘匿領域に貼り付けるには、第１、第２広告情報部９Ａ，９Ｂを完全にオープンにしなければ得られない。従って、ユーザに対して、全ての広告面を見ることになる。
【００５８】
【発明の効果】
以上のごとき発明によれば、返信はがき部をミシン目から容易に切り離して必要な事項を記入することができる。また、貼付シール部を剥離し返信はがき部の例えば秘匿領域に貼り付けることにより、個人情報を容易に秘匿でき、返信はがき部を安心して投函できる。また、貼付シール部を２枚重ねの二重構造の一方の紙片に設けたので、秘匿シール付き広告用印刷物の厚みに偏りを生じさせることなく、安価に製造できる。
【００５９】
また、返信はがき部を２枚重ねの二重構造としたので、はがきとして適度の厚さを確保できる。したがって、剥離・再接着シール付き広告用印刷物を薄い紙片で製造可能であるので、製造コストを安価にできる。また、剥離・再接着シール付き広告用印刷物が全領域を紙片の２枚重ねの二重構造としたので全体の厚さを均一にでき、好適な新聞折込みとすることができる。
【００６０】
請求項２の発明によれば、２枚の紙片を重ねて貼り合わせるためにインラインで製造しやすいので、効率よく製造できる。
【００６１】
請求項３の発明によれば、１枚の紙片から二重構造とするために折り重ねの工程が必要となるが、２枚重ねの貼り合わせ面を剥離可能として前記貼り合わせ面に広告情報部を設けた場合、２枚重ねの紙片を剥離しても紙片がバラバラにならないので、広告情報部を体裁良く提供できる。
【００６２】
請求項４の発明によれば、貼付シール部としては個人情報秘匿シールや応募特典請求シールなどの種々の用い方を行うことができる。
【００６３】
請求項５の発明によれば、第２広告情報部を加えることができるので、より多くの広告情報を掲載できる。
【００６４】
請求項６の発明によれば、貼付シール部を秘匿領域に貼り付ける際に、貼付シール部を切欠き部内に収めることができるので、返信はがき部の厚みを均一にできる。
【図面の簡単な説明】
【図１】この発明の第１の実施の形態の秘匿シール付き広告用印刷物の平面図である。
【図２】図１の矢視ＩＩ−ＩＩ線の断面図である。
【図３】図１の広告用印刷物の使用状態を示す状態説明図で、（Ａ）は貼付シール部を秘匿領域に貼る前の状態を示し、（Ｂ）は貼付シール部が秘匿領域に貼られた状態を示すものである。
【図４】この発明の第１の実施の形態の秘匿シール付き広告用印刷物の斜視図である。
【図５】図４の秘匿シール付き広告用印刷物の使用状態を示す斜視図である。
【図６】この発明の第２の実施の形態の秘匿シール付き広告用印刷物及びその使用状態を示す斜視図である。
【図７】（Ａ）〜（Ｃ）は、秘匿シール付き広告用印刷物の貼付シール部の配置位置を示す平面図である。
【図８】この発明の第３の実施の形態の秘匿シール付き広告用印刷物の斜視図である。
【図９】図８の秘匿シール付き広告用印刷物の使用状態を示す斜視図である。
【図１０】返信はがき部における他の実施の形態を示す部分的な斜視図である。
【図１１】応募券として使用させるときの貼付シールの配置を説明する説明図である。
【符号の説明】
１　秘匿シール付き広告用印刷物（第１の実施の形態の）
３　表側紙片
３Ａ　表面（表側紙片３の外面）
３Ｂ　裏面（表側紙片３の内面）
５　裏側紙片
５Ａ　表面（裏側紙片５の内面）
５Ｂ　裏面（裏側紙片５の外面）
７　広告紙
９Ａ，９Ｂ　第１広告情報部（広告情報部）
１１　返信はがき部
１１Ａ　表面側返信はがき部
１１Ｂ　裏面側返信はがき部
１３　個人情報部
１５　秘匿領域
１７　貼付シール部（個人情報秘匿シール、応募特典請求シール）
２３　切断用金型
２５　ミシン目（返信はがき部１１の輪郭の）
２７　切込み線（貼付シール部１７の輪郭の）
２９　秘匿シール付き広告用印刷物（第２の実施の形態の）
３１Ａ，３１Ｂ　第２広告情報部
３５　秘匿シール付き広告用印刷物（第３の実施の形態の）
３７　折曲げ線
３９　紙片（展開紙）
４１　切欠き部
【図１】
2004133065.tif 000003
【図２】
2004133065.tif 000004
【図３】
2004133065.tif 000005
【図４】
2004133065.tif 000006
【図５】
2004133065.tif 000007
【図６】
2004133065.tif 000008
【図７】
2004133065.tif 000009
【図８】
2004133065.tif 000010
【図９】
2004133065.tif 000011
【図１０】
2004133065.tif 000012
【図１１】
2004133065.tif 000013